(57)【要約】【課題】浴室内の浴槽蓋が入浴者の邪魔にならずすっきりと収納でき、しかも浴槽蓋の収納状態において該浴槽蓋を入浴者の椅子或いは物置台として使用できる浴室を提供することをその課題とする。【解決手段】浴槽を被蓋するときは広げて使用すると共に、浴槽から取り外されたときは折り畳み重合可能な浴槽蓋を構成し、該折り畳み重合された浴槽蓋の両端部を浴室の洗い場に形成された支承体に架設すると共に、該支承体の少なくとも一つを洗い場面上に出没自在としたことを特徴とする浴室。【選択図】図６
2006167108.tif 000002
【特許請求の範囲】
【請求項１】
浴槽を被蓋するときは広げて使用でき、且つ、浴槽から取り外したときは折り畳み重合可能な浴槽蓋を構成し、該折り畳み重合した浴槽蓋の両端部を浴室の洗い場に形成された支承体に架設すると共に、該支承体の少なくとも一つを洗い場面上に出没自在としたことを特徴とする浴室。
【請求項２】
前記折り畳み重合した浴槽蓋の両端部に、前記支承体の頂部に形成した係止体に着脱自在に係合する係合部を形成したことを特徴とする請求項１記載の浴室。
【請求項３】
前記支承体の少なくとも一つを浴室の洗い場面に沿って出没自在に収納したことを特徴とする請求項１記載の浴室。
【請求項４】
前記支承体の少なくとも一つを浴室の壁面に沿って出没自在に収納したことを特徴とする請求項１記載の浴室。
【請求項５】
前記折り畳み重合した浴槽蓋の一端部を、浴室の壁面に形成した棚で構成されている支承体で支承したことを特徴とする請求項１記載の浴室。
【発明の詳細な説明】
【技術分野】
【０００１】
本発明は浴槽を被蓋及び開口する浴槽蓋を活用した浴室に関する。さらに詳しくは、浴槽蓋を取り除いて浴槽を開口したとき、当該浴槽蓋を折り畳み重合して入浴者の椅子或いは物置台として使用できる浴室に関するものである。
【背景技術】
【０００２】
従来、浴室壁面に折畳式の椅子を収納自在の設けた浴室が知られている。
【特許文献１】実用新案登録第３０６９９１８号公報（第１頁、第１図）
【発明の開示】
【発明が解決しようとする課題】
【０００３】
上記特許文献１における浴室は浴槽蓋を椅子として活用するものではない。従って、入浴中において、浴室内の洗い場に置かれた浴槽蓋が邪魔になるという問題があった。本発明は、浴室内の浴槽蓋が入浴者の邪魔にならずすっきりと収納でき、しかも浴槽蓋の収納状態において該浴槽蓋を入浴者の椅子或いは物置台として使用できる浴室を提供することをその課題とする。
【課題を解決するための手段】
【０００４】
上記課題を解決するために、本発明に係る浴室の第一の特徴構成は、請求項１に記載した如く、浴槽を被蓋するときは広げて使用でき、且つ、浴槽から取り外したときは折り畳み重合可能な浴槽蓋を構成し、該折り畳み重合した浴槽蓋の両端部を浴室の洗い場に形成された支承体に架設すると共に、該支承体の少なくとも一つを洗い場面上に出没自在とした点にある。
【０００５】
同第二の特徴構成は、請求項２に記載した如く、第一の特徴構成に加えて、前記折り畳み重合した浴槽蓋の両端部に、前記支承体の頂部に形成した係止体に着脱自在に係合する係合部を形成した点にある。
【０００６】
同第三の特徴構成は、請求項３に記載した如く、第一の特徴構成に加えて、前記支承体の少なくとも一つを浴室の洗い場面に沿って出没自在に収納した点にある。
【０００７】
同第四の特徴構成は、請求項４に記載した如く、第一の特徴構成に加えて、前記支承体の少なくとも一つを浴室の壁面に沿って出没自在に収納した点にある。
【０００８】
同第五の特徴構成は、請求項５に記載した如く、第一の特徴構成に加えて、前記折り畳み重合した浴槽蓋の一端部を、浴室の壁面に形成した棚で構成されている支承体で支承した点にある。
【発明の効果】
【０００９】
請求項１に記載の浴室は、前記構成であるから、入浴していないときは浴槽が浴槽蓋で完全に被蓋されると共に、入浴に際して浴槽蓋を浴槽から取り外したときは、支承体に架設された当該浴槽蓋を入浴者の椅子や物置台として活用でき、従って、当該浴槽蓋が邪魔にならないのである。また、支承体の少なくとも一つは浴室洗い場面上に出没自在となっているから、浴槽蓋で浴槽を被蓋しているときは当該支承体を浴室洗い場面に略面一に収納しておけば当該支承体も邪魔にならないという効果がある。
【００１０】
請求項２に記載の浴室は、前記構成であるから、請求項１の浴室が有する効果に加え、折り畳み重合された浴槽蓋を支承体で支承したとき当該支承体に形成した係止体に浴槽蓋の係合部が着脱自在に係合するから、当該架設された浴槽蓋が該支承体から不用意に離脱しないのである。
【００１１】
請求項３に記載の浴室は、前記構成であるから、請求項１の浴室が有する効果に加え、浴槽を浴槽蓋で被蓋しているときに該支承体を洗い場面に沿って略面一に収納しておけば、該収納された支承体が邪魔にならず安全である。
【００１２】
請求項４に記載の浴室は、前記構成であるから、請求項１の浴室が有する効果に加え、浴槽を浴槽蓋で被蓋しているときに該支承体を浴室の壁面に沿って略面一に収納しておけば、該収納された支承体が邪魔にならず安全である。
【００１３】
請求項５に記載の浴室は、前記構成であるから、請求項１の浴室が有する効果に加え、浴室の壁面に形成された支承体はそのまま物置棚としても活用できる。
【発明を実施するための最良の形態】
【００１４】
以下、本発明の実施形態について図面を参照して詳細に説明する。図１は本発明に係る浴室に使用される浴槽蓋で浴槽を被蓋した状態を示す斜視図であり、実施例においては、4枚の単位蓋２１で構成された浴槽蓋２で浴槽１を被蓋している。それぞれの単位蓋２１の両端部の表裏面のそれぞれには凹所からなる係合部２４が形成されている。図２は上記浴槽蓋２を広げたときの側面図であり、4枚の単位蓋２1のうち中央部に位置する2枚の単位蓋２１、２１はその表面側がプラスチック蝶番等の蝶番２２で回動自在に連結され、両側に位置するそれぞれの単位蓋２１、２１はそれぞれ中央側の単位蓋２１、２１にその裏面側が蝶番２３で連結されている。図３は浴槽蓋２を折り畳み重合したときの側面図であり、図２に示す矢印方向にそれぞれの単位蓋２１を折り畳んで重合すると、図３の状態になる。
【００１５】
図４は上記実施例における支承体の斜視図、図５は上記実施例における支承体の他の実施例を示す斜視図である。図４に示した実施例は、洗い場面４のコーナー部であって浴室の壁面５に沿って立設固定された一方の支承体３と該一方の支承体３に一定の距離をおいて相対向させて洗い場面に立設した他方の支承体３とからなり、該他方の支承体３は浴室の他方の壁面５に沿って軸３２を中心に回動自在に収納できるようになっている。該他方の支承体３を他方の壁面５に対して直角に回動すると、それぞれの支承体３、３が一定の距離をおいて相対向するのである。それぞれの支承体３、３の頂部には係止体３１，３１が形成されており、該係止体３１、３１に、折り畳み重合された浴槽蓋２の係合部２４、２４が着脱自在に係合するのである。
【００１６】
図５に示した支承体３、３の実施例は他方の支承体３の回動軸３３が洗い場面４に沿って設けられており該他方の支承体３は洗い場面４に沿って倒れた状態で収納され、又、折り畳み重合された浴槽蓋２を支承するときは該支承体３を図５の矢印方向に回動し該支承体3を起立させるのである。
【００１７】
図６は浴槽蓋を折り畳み重合して椅子として使用したときの状態を示す斜視図である。同図に示す状態で使用するときは、先ず、浴槽蓋２を浴槽１から取り外して図３に示すように該浴槽蓋２を折り畳み重合する。このとき該重合された浴槽蓋２の両端部の表裏面には係合部２４が露出する。該係合部２４は凹部であっても貫通孔であってもよい。次に、それぞれの支承体３、３を相対向するよう洗い場面４に立設し、支承体３のそれぞの係止体３１、３１に浴槽蓋２の係合部２４、２４が嵌合するよう該支承体３、３に、重合された浴槽蓋２を載置するのである。その後に図６に示すように入浴者が該浴槽蓋２に座り身体を洗うのである。該浴槽蓋２は椅子として使用すると共に、入浴小道具の物置台としても使用できる。
【００１８】
図には示していないが、一方の支承体3を浴室の壁面５に形成した凹所や張り出し棚で代用してもよい。このときは、折り畳み重合された浴槽蓋２の一方が該凹所又は棚に支承され他方が洗い場面４に立設された支承体３に支承されるのである。
【図面の簡単な説明】
【００１９】
【図１】本発明に係る浴室に使用される浴槽蓋で浴槽を被蓋した状態を示す斜視図。
【図２】上記浴槽蓋を広げたときの側面図。
【図３】上記浴槽蓋を折り畳み重合したときの側面図。
【図４】上記実施例における支承体の斜視図。
【図５】上記実施例における支承体の他の実施例を示す斜視図。
【図６】本発明に係る浴室において浴槽蓋を椅子代わりとして使用したときの状態を示す斜視図。
【符号の説明】
【００２０】
１        浴槽
２        浴槽蓋
２１      単位蓋
２２      蝶番
２３      蝶番
２４      係合部
３        浴槽蓋を支承する支承体
３１      支承体に形成された係止体
３２      回動軸
３３      回動軸
４        洗い場面
５        浴室の壁面
【図１】
2006167108.tif 000003
【図２】
2006167108.tif 000004
【図３】
2006167108.tif 000005
【図４】
2006167108.tif 000006
【図５】
2006167108.tif 000007
【図６】
2006167108.tif 000008